(57)【要約】【課題】既存の遊技機に取り付けられている遊技機用可変錠よりも鍵コードのコード数が多く、かつ、市場の利便性を損なうことなく普及させることが可能な遊技機用可変錠を提供する。【解決手段】新規可変錠１は、鍵挿入空間１０は、置き換えを図る従来可変錠の鍵１３０を挿入可能に設けられ、挿入ガイドは、従来可変錠１０１と共通に設けられ、複数のタンブラーは、従来可変錠と同数かつ同間隔で配置され、従来可変錠の鍵１３０に形成された凹部と係合して変位し、かつ、変位する段階数が、従来可変錠よりも１段階以上多く設けられている。【選択図】図８
2015203248.tif 000002
【特許請求の範囲】
【請求項１】
鍵挿入空間へ鍵を挿入する際の基準となる挿入ガイドと直交する方向の高さ位置が、挿入された鍵に形成されたコード溝の凹部の深さに応じて段階的に変位する複数のタンブラーを備え、該複数のタンブラーの高さ位置の組み合わせに応じて、外筒に対する内筒の回転を許可するか否かを機械的に決定する鍵コードが設定される遊技機用可変錠であって、
前記鍵挿入空間は、当該遊技機用可変錠への置き換えを図る置換対象の遊技機用可変錠の鍵を挿入可能に設けられ、
前記挿入ガイドは、前記置換対象の遊技機用可変錠と共通に設けられ、
前記複数のタンブラーは、前記置換対象の遊技機用可変錠と同数かつ同間隔で配置され、前記置換対象の遊技機用可変錠の鍵に形成された前記凹部と係合して変位し、かつ、変位する段階数が、前記置換対象の遊技機用可変錠よりも１段階以上多く設けられていることを特徴とする遊技機用可変錠。
【請求項２】
１段階以上多く変位するよう設けられた前記タンブラーの高さ位置が、前記挿入ガイドから離れる方向に設けられていることを特徴とする請求項１に記載の遊技機用可変錠。
【請求項３】
前記外筒の正面に形成された口元開口部の口元開口寸法が置換対象の遊技機用可変錠の口元開口寸法よりも大きく形成されていることを特徴とする請求項１又は２に記載の遊技機用可変錠。
【請求項４】
前記置換対象の遊技機用可変錠と外寸が同じであることを特徴とする請求項１、２又は３に記載の遊技機用可変錠。
【発明の詳細な説明】
【技術分野】
【０００１】
本発明は、遊技機に取り付けられる遊技機用可変錠に関するものである。
【背景技術】
【０００２】
パチンコ台やパチスロ台等の遊技機には、利便性に優れた可変錠が用いられていることが多い。可変錠は、任意の鍵コードに変換が可能な錠である。可変錠を使用することで、メーカ側は、同じ可変錠を種々の遊技機に搭載できるのでコストを抑えることができる。また、ホール側にとっては、ホールに設置された多種多様な全ての遊技機をホール固有の１つの鍵で操作（施錠・開錠）できるので、遊技機のトラブル発生時など迅速に処理できる。また、他店と同じ種類の遊技機を設置しながらも鍵コードを別にすることでセキュリティを確保することがでる。さらに、鍵の紛失時には、鍵を変えて鍵コードを設定し直すだけで錠本体を交換することなく対応できる。
【０００３】
可変錠に関する特許文献としては、例えば、特許文献１〜３がある。特許文献１には、ピッキングに対する安全性を高めた可変錠が開示さている。特許文献２には、少ない構成部品によって鍵コードのリセットおよび変更が可能な可変錠が開示されている。特許文献３には、鍵コードの変換が容易に行える可変錠が開示されている。
【先行技術文献】
【特許文献】
【０００４】
【特許文献１】特開２０１１−００７０３５号公報
【特許文献２】特許０４１４５３３４号明細書
【特許文献３】特許０４６３２２３８号明細書
【発明の概要】
【発明が解決しようとする課題】
【０００５】
ところが、可変錠において可変できる鍵コードには限りがあるため、ホール数がコード数を上回ると、鍵コードが同一となる確率が増してセキュリティ性が低下する。そのため、鍵コードの不足を解消してセキュリティを確保するには、新規な可変錠の開発が必須となってきている。しかしながら、当業界において、開発された新規な可変錠はなかなか市場に受け入れられないといった問題がある。これは、遊技機特有の事情によって、既存の可変錠が新規な可変錠に全て置き換わるまでにはかなりの時間を要し、その間、新規な可変錠の鍵と、既存の可変錠の鍵との２種類を使い分けないといけないためである。これについて詳しく説明する。
【０００６】
現行の制度のもと、遊技機は、可変錠を付けた状態で１台ずつ申請がなされ、許可されることで初めて遊技者に提供可能となる。そのため、設置済みの遊技機において、その可変錠を新規な可変錠へと交換した場合には、再度申請する必要があり、その間、遊技機を遊技者に提供できなくなる。したがって、新規な可変錠の普及は、設置済みの既存の可変錠を付けた遊技機が、新規な可変錠を付けて申請された新たな遊技機へと順次入れ替わるのを待つ必要がある。
【０００７】
しかしながら、この間、ホール側は、既存の可変錠が付いた遊技機については既存の可変錠の鍵で操作し、新規な可変錠が付いた遊技機については、新規な可変錠の鍵で操作することになり、２種類の鍵の使い分けが必要となる。これでは、可変錠の利便性である、ホール内の種々の遊技機をホール固有の鍵で操作できるといった機能が損なわれてしまう。その結果、新規な可変錠を開発しても市場には受入れられないこととなる。
【０００８】
このような問題は、遊技機に搭載される可変錠独自の問題であるため、特許文献１〜３に開示された可変錠であっても解決できるものではない。
【０００９】
本発明は上記課題に鑑みなされたもので、既存の遊技機に取り付けられている可変錠よりも鍵コードのコード数が多く、かつ、市場の利便性を損なうことなく普及させることができる可変錠を提供することを目的とする。
【課題を解決するための手段】
【００１０】
本発明の遊技機用可変錠においては、上記課題を解決するために、鍵挿入空間へ鍵を挿入する際の基準となる挿入ガイドと直交する方向の高さ位置が、挿入された鍵に形成されたコード溝の凹部の深さに応じて段階的に変位する複数のタンブラーを備え、該複数のタンブラーの高さ位置の組み合わせに応じて、外筒に対する内筒の回転を許可するか否かを機械的に決定する鍵コードが設定される遊技機用可変錠であって、前記鍵挿入空間は、当該遊技機用可変錠への置き換えを図る置換対象の遊技機用可変錠の鍵を挿入可能に設けられ、前記挿入ガイドは、前記置換対象の遊技機用可変錠と共通に設けられ、前記複数のタンブラーは、前記置換対象の遊技機用可変錠と同数かつ同間隔で配置され、前記置換対象の遊技機用可変錠の鍵に形成された前記凹部と係合して変位し、かつ、変位する段階数が、前記置換対象の遊技機用可変錠よりも１段階以上多く設けられていることを特徴としている。
【００１１】
これによれば、置換対象の遊技機用可変錠とタンブラー数を同数としながらも、タンブラーが変位可能な高さ位置の段階数を、置換対象の遊技機用可変錠の段階数よりも１段階以上多く設けられているので、鍵コードのコード数を増やすことができる。
【００１２】
しかも、鍵コードのコード数を増やすにあたり、鍵挿入空間を置換対象の遊技機用可変錠の鍵を挿入可能に設けると共に、挿入ガイドを置換対象の遊技機用可変錠と共通に設け、かつ、複数のタンブラーを置換対象の遊技機用可変錠と同数かつ同間隔で配置し、置換対象の遊技機用可変錠の鍵に形成された凹部と係合して変位するよう設けている。
【００１３】
これにより、当該遊技機用可変錠においては、置換対象の遊技機用可変錠の鍵を用いて鍵コードを設定することが可能となり、置換対象の遊技機用可変錠の鍵を用いて操作可能となる。
【００１４】
その結果、遊技機の可変錠が全て、置換対象の遊技機用可変錠から本発明の遊技機用可変錠に置き換われるまでは、本発明の遊技機用可変錠を置換対象の遊技機用可変錠の鍵で操作することで、利便性を損なうことなく、コード数の多い新しい遊技機用可変錠を普及させることができる。
【００１５】
本発明の遊技機用可変錠においては、さらに、１段階以上多く変位するよう設けられた前記タンブラーの高さ位置が、前記挿入ガイドから離れる方向に設けられている構成とすることが好ましい。
【００１６】
追加するタンブラーの高さ位置を、挿入ガイドに近づく方向に設けることも可能であるが、その場合、当該遊技機用可変錠の鍵の鍵本体部の高さは置換対象の遊技機用可変錠の鍵と同じになる。その場合、当該遊技機用可変錠の鍵を置換対象の遊技機用可変錠に挿入して無理に回して置換対象の遊技機用可変錠を損傷させるといった事態の発生が予想される。
【００１７】
本発明の遊技機用可変錠において設定可能な鍵コードには、置換対象の遊技機用可変錠において設定可能な鍵コードが全て含まれるが、置換対象の遊技機用可変錠において設定可能な鍵コードは、既に市場に出回っているため、本発明の遊技機用可変錠とセットで市場に出す鍵の対象からは除外される。したがって、置換対象の遊技機用可変錠を操作できない本発明の遊技機用可変錠の鍵は、置換対象の遊技機用可変錠に物理的に挿入できないように作ることが好ましい。
【００１８】
上記構成によれば、追加するタンブラーの高さ位置を、挿入ガイドから離れる方向に設けているので、当該遊技機用可変錠の鍵の鍵本体部の高さは必然的に高くなり、置換対象の遊技機用可変錠への挿入が物理的にできない構成となっている。
【００１９】
これにより、当該遊技機用可変錠の鍵を置換対象の遊技機用可変錠に挿入して無理に回して置換対象の遊技機用可変錠を損傷させるといった事態の発生を防止できる。
【００２０】
本発明の遊技機用可変錠は、さらに、前記外筒の正面に形成された口元開口部の口元開口寸法が置換対象の遊技機用可変錠の口元開口寸法よりも大きく形成されていることが好ましい。
【００２１】
これによれば、外筒の正面に形成された口元開口部の口元開口寸法が置換対象の遊技機用可変錠の口元開口寸法よりも大きく形成されているので、鍵挿入空間に挿入される鍵本体部の根元部分の高さが、置換対象の遊技機用可変錠における外筒の正面に形成された口元開口部の口元開口寸法よりも大きくなる。
【００２２】
したがって、本発明の遊技機用可変錠の鍵が、既存の遊技機用可変錠に挿入されたとしても、鍵本体部の根元部分の高さが、置換対象の遊技機用可変錠の口元開口部の口元開口寸法よりも大きいので、口元開口部で鍵の回転が規制されることとなる。
【００２３】
これにより、当該遊技機用可変錠の鍵が置換対象の遊技機用可変錠に挿入されたとしても、無理に回して置換対象の遊技機用可変錠を損傷させるといった事態の発生を防止できる。
【００２４】
本発明の遊技機用可変錠においては、さらに、前記置換対象の遊技機用可変錠と外寸が同じであることが好ましい。
【００２５】
置換対象の遊技機用可変錠と外寸を同じとすることで、遊技機に対する可変錠の取り付けにおいても、置換対象の遊技機用可変錠との間で互換性をもつことができる。
【発明の効果】
【００２６】
本発明は、既存の遊技機に取り付けられている可変錠よりも鍵コードのコード数が多く、かつ、市場の利便性を損なうことなく普及させることができる可変錠を提供することができるという効果を奏する。
【図面の簡単な説明】
【００２７】
【図１】本発明の実施形態１に係る新規可変錠と新規鍵の外観図である。
【図２】上記新規可変錠に新規鍵が挿入された状態の外観図である。
【図３】上記新規可変錠の正面図である。
【図４】上記新規可変錠の分解斜視図である。
【図５】（ａ）は図１の新規可変錠に搭載されたタンブラーによる鍵コード可変機構の要部の図であり、（ｂ）は従来可変錠に搭載されたタンブラーによる鍵コード可変機構の要部の図である。
【図６】（ａ）は新規鍵のコード溝を構成する凹部の深さを示す模式断面図であり、（ｂ）は従来鍵のコード溝を構成する凹部の深さを示す模式断面図である。
【図７】（ａ）は新規可変錠に新規鍵を挿入する前の断面図であり、（ｂ）は新規可変錠に新規鍵を挿入した状態の断面図である。
【図８】（ａ）は新規可変錠に従来鍵を挿入する前の断面図であり、（ｂ）は新規可変錠に従来鍵を挿入した状態の断面図である。
【図９】新規可変錠、従来可変錠に対する新規鍵、従来鍵および共通鍵の挿入可否を説明する図である。
【図１０】従来可変錠に新規鍵を挿入した場合の干渉を説明する図である。
【図１１】従来可変錠から新規可変錠へと切り替わる時期の可変錠の設定フローである。
【図１２】鍵コードを増やす構成と可変錠の外形との関係を説明する図である。
【発明を実施するための形態】
【００２８】
以下、本発明の実施の形態について、詳細に説明する。なお、説明の便宜上、本発明の実施の形態に係る遊技機用可変錠を新規可変錠と称し、新規可変錠への置き換えを図る対象の既存の遊技機用可変錠を従来可変錠と称する。同様に、新規可変錠とセットの鍵を新規鍵、従来可変錠とセットの鍵を従来鍵と称する。
【００２９】
図１は、本実施の形態に係る新規可変錠１と新規鍵３０の外観図である。図２は、新規可変錠１に新規鍵３０が挿入された状態の外観図である。図３は、新規可変錠１の正面図である。新規可変錠１は、操作（施錠・開錠）する新規鍵３０を変更することができる可変コード型のシリンダ錠である。
【００３０】
図１〜図３に示すように、新規可変錠１は、外筒３の前面（正面）に矩形状の鍵挿入口５を有し、外筒３の後部に後部フランジ７が設けられている。なお、説明の便宜状、矩形状の鍵挿入口５の長手方向を上下方向、矩形状の鍵挿入口５の短手方向を左右方向と称する。
【００３１】
新規可変錠１における鍵挿入空間１０の側面およびその入口である鍵挿入口５には、新規鍵３０に形成された挿入ガイドリブ３７を案内する挿入ガイド溝（挿入ガイド）９が形成されている。挿入ガイド溝９は、鍵の挿入基準となるものであり、新規鍵３０に形成された挿入ガイドリブ３７と挿入ガイド溝９とが係合することで、新規鍵３０を鍵挿入空間１０における所定の位置となる基準位置に配置することができる。
【００３２】
鍵挿入空間１０は、従来鍵も挿入可能に設けられ、挿入ガイド溝９は、従来鍵に形成された挿入ガイドリブとも係合して、従来鍵を鍵挿入空間１０における基準位置に配置することができるように、従来可変錠に設けられている挿入ガイド溝と共通に形成されている。挿入ガイド溝９は、鍵挿入口５よりみて上下中央の左右両側に設けられており、これにより、新規鍵３０を上下リバーシブルに挿入することが可能となっている。
【００３３】
なお、このようにリバーシブルタイプとしたのは、従来可変錠が、鍵を上下リバーシブルに挿入できるタイプの可変錠であり、従来鍵の鍵本体部の両側に挿入ガイドリブが形成されているためである。従来可変錠が、鍵挿入空間の片方の側面にのみ挿入ガイド溝を有するタイプであれば、新規可変錠においても、鍵挿入空間の片方の側面にのみ挿入ガイド溝が形成されることとなる。同様に、ここでは、新規可変錠１に挿入ガイド溝を設け、新規鍵３０に挿入ガイドリブを設けたが、従来可変錠に挿入ガイドリブが設けられ、従来鍵に挿入ガイド溝が形成されている場合は、新規可変錠１に挿入ガイドリブを設け、新規鍵３０に挿入ガイド溝を設ける必要がある。
【００３４】
新規鍵３０は、従来鍵と同様にリバーシブル可能に構成されている。新規鍵３０における新規可変錠１に挿入される鍵本体部３５には、挿入ガイドリブ３７とコード溝３９とが形成されている。挿入ガイドリブ３７は、新規可変錠１に挿入された状態で左右に位置する両方の面の上下方向中央に形成され、コード溝３９は上下に位置する両方の面に形成されている。コード溝３９は、挿入ガイドリブ３７を基準とした深さが段階的に異なる複数の凹部よりなり、凹部は、後述するタンブラー１９と同数設けられている。
【００３５】
図４は、新規可変錠１の分解斜視図である。外筒３内には、前面に前述の鍵挿入口５を有し、内部に鍵挿入空間１０を有する内筒１１が回転可能に備えられている。そして、図示してはいないが、内筒１１内部に、後述するタンブラー１９（図５の（ａ）参照）が、挿入方向に沿って所定の間隔で配設されている。配設される複数のタンブラー１９の数および間隔は、従来可変錠のものと同じであり、本実施の形態においては、例えば８枚のタンブラー１９が所定間隔で配設されている。
【００３６】
内筒１１の後端部にはカム軸と係合されるカム軸係合部１３と共に、カム軸を回転不能にするためのリセットレバー１５が設けられている。リセットレバー１５は内筒１１と共に、後部フランジ７側から外筒３内に挿入されており、これらを挿入した状態で、後部フランジ７の裏面が、押さえ板１７にて覆われている。押さえ板１７は、外筒３の後面からリセットレバー１５およびカム軸係合部１３の一部が露出するように設けられている。
【００３７】
このような新規可変錠１は、図示してはいないが、遊技機の扉に形成された穴に扉の裏面側から外筒３の部分が挿通される。そして、後部フランジ７が、その上下方向端部に形成されたネジ孔７ａ，７ａに挿通されたネジにて扉の裏面に取り付けられることで、新規可変錠１が扉に固定される。
【００３８】
次に、図５、図６を用いて、タンブラー１９による鍵コード可変機構について説明する。図５の（ａ）は、新規可変錠１に搭載されたタンブラー１９による鍵コード可変機構の要部の図であり、図５の（ｂ）は、従来可変錠に搭載されたタンブラー１１９による鍵コード可変機構の要部の図である。また、図６の（ａ）は、新規鍵３０のコード溝３９を構成する凹部の深さを示す模式断面図であり、図６の（ｂ）は、従来鍵１３０のコード溝１３９を構成する凹部の深さを示す模式断面図である。なお、タンブラーによる鍵コード可変機構は、従来可変錠も新規可変錠１もタンブラーの変位数が異なる以外は同様の構成を有しているので、ここでは、図５の（ｂ）を参照して説明する。
【００３９】
図５の（ｂ）に示すように、タンブラー１１９には、鍵挿入空間に挿入された従来鍵のコード溝の１つの凹部と当接する当接部１２１が設けられている。図６の（ｂ）に示すように、従来鍵１３０におけるコード溝１３９を構成する凹部は、挿入ガイドリブ１３７に近い方から順に、１段目Ｄ１、２段目Ｄ２、３段目Ｄ３の３段階の深さを有する。このような凹部の深さに応じて、タンブラー１１９の上下方向の高さ位置も、挿入ガイド溝９を基準として３段階に変位する。
【００４０】
図５の（ｂ）に示すように、３段階に高さ位置が変位するタンブラー１１９には、その変位数に応じた３連穴からなる連結コード穴１２２が設けられている。連結コード穴１２２内には、コード高さを設定するコード設定部材１２３に設けられたコード設定ボス１２４が挿入されている。タンブラー１１９の高さ位置が決まると、タンブラー１１９とコード設定部材１２３とは、連結コード穴１２２とコード設定ボス１２４で固定され、一体で上下動する。タンブラー１１９と一体で上下動するコード設定部材１２３には、キー溝１２５が形成されている。
【００４１】
従来可変錠において、鍵コードをリセットした状態で、従来鍵１３０を鍵挿入空間に挿入すると、当該従来鍵１３０のコード溝１３９の８つの凹部に応じて、８枚のタンブラー１１９の高さ位置が決まり、８つのコード設定ボス１２４の穴の位置が決まる。このとき、コード設定部材１２３の８つのキー溝１２５の位置は、外筒３に対する内筒１１の回転を可能にする所定の配置となっている。そして、この状態で、従来鍵１３０を鍵コード設定位置まで回転させると、タンブラー１１９とコード設定部材１２３とが固定され、一体に移動するようになり、鍵コードの設定が完了する。
【００４２】
このように鍵コードが設定された従来可変錠に、従来鍵１３０が挿入されると、それに形成されているコード溝１３９の８つの凹部に応じて、タンブラー１１９の高さ位置が変化する。コード溝１３９が、設定されている鍵コードと適合している場合は、８枚のタンブラー１１９の変位により、８つのキー溝１２５の配置が、外筒３に対する内筒１１の回転を可能にする所定の配置となり、開錠される。
【００４３】
新規可変錠１においては、８枚のタンブラー１９（図５の（ａ）参照）は、従来可変錠のタンブラー１１９と同数かつ同間隔で配置され、従来鍵１３０に形成されたコード溝１３９の凹部と係合して変位し、かつ、変位する段階数が、従来可変錠よりも１段階以上多く設けられており、本実施の形態では４段階に変位するよう構成されている。
【００４４】
可変錠における設定可能な鍵コードのコード数は、タンブラー数とタンブラーの高さの変位数によって決まり、８枚のタンブラーを３段階で変位させる従来可変錠のコード数は、３の８乗の６５６１通りとなる。これに対し、８枚のタンブラーを４段階で変位させる新規可変錠１のコード数は、４の８乗の６５５３６通りとなり、コード数を増やすことができる。
【００４５】
そして、本実施の形態では、４段階目の高さ位置を設けるにあたり、４段階目を挿入ガイド溝９に近い方に設けるのではなく、挿入ガイド溝９から離れる方向に設けている。これに対応して、新規鍵３０のコード溝３９を構成する凹部は、図６の（ａ）に示すように、従来鍵１３０と同じ１段目Ｄ１、２段目Ｄ２および３段目Ｄ３に加えて、さらに、挿入ガイドリブ３７より離れた位置に４段目Ｄ４の深さの凹部が設けられたものとなる。
【００４６】
このような構成とすることで、新規可変錠１における鍵挿入空間１０の高さ（上下方向の寸法）は、従来可変錠の鍵挿入空間の高さよりも大きくなり、新規鍵３０の鍵本体部３５の高さＨ１も従来鍵１３０の鍵本体部１３５の高さＨ０よりも大きくなる。
【００４７】
したがって、新規鍵３０は、物理的に従来可変錠には挿入できなくなり、新規鍵３０が従来可変錠に誤って挿入され、無理に回されて従来可変錠を損傷させるといった事態の招来を確実に回避することができる。
【００４８】
さらに、新規鍵３０においては、詳細については後述するが、鍵本体部３５の根元部分の高さが、従来可変錠における外筒３の正面に形成された口元開口部４（図４参照）の口元開口寸法よりも大きく設計されている。これにより、たとえ摩耗にて、新規鍵３０が従来可変錠に挿入されたとしても、新規鍵３０の鍵本体部３５の根元部分が口元開口部に当接することで内筒の回転が規制されるようになっている。
【００４９】
そして、図５の（ａ）に示すように、新規可変錠１におけるタンブラー１９には、その変位数に応じた４連穴からなる連結コード穴２２が設けられているが、図５の（ｂ）に示す従来可変錠のタンブラー１１９と比較するとわかるように、連結コード穴２２を形成する部分がタンブラー１１９よりも太く形成されており、４連穴の配置が可能となっている。このようにして４連穴を配置する面積を確保した上で、従来鍵１３０のコード溝１３９と挿入時の高さを合わせた当接部２１からの連結コード穴２２の位置を変更し、小さな面積の内でも４連結への拡大を可能とした。４連結の連結コード穴２２は従来鍵１３０のコード溝１３９と深さの段目を合わせるため同程度の間隔となっている。
【００５０】
さらに、キー溝２５を有するコード設定部材２３の縦方向の寸法もコード設定部材１２３の縦方向の寸法よりも小さくしている。これにより、タンブラー１９とコード設定部２３が一体で上下動する際に、一番上の穴位置もしくは一番下の穴位置においても、コード設定部材２３は、タンブラー１９からはみ出すことなく、内筒１１の回転時に引っかかることがないようになっている。
【００５１】
新規可変錠１においては、鍵コード可変機構においてこのような工夫を施すことで、外寸が径方向に大きくなることを回避している。
【００５２】
図７の（ａ）は、新規可変錠１に新規鍵３０を挿入する前の断面図であり、図７の（ｂ）は、新規可変錠１に新規鍵３０を挿入した状態の断面図である。
【００５３】
新規可変錠１に新規鍵３０が挿入されると、新規可変錠１の内筒１１内部の鍵挿入空間１０に鍵本体部３５が収納され、コード溝３９の凹部と当接することで、タンブラー１９が変位し、鍵コードの一致の有無が上述したように、機械的に照合される。新規可変錠１と新規鍵３０との間で相互の鍵コードが一致した場合にのみ、内筒１１が外筒３に対して回転可能（開錠可能）になる。
【００５４】
図８の（ａ）は、新規可変錠１に従来鍵１３０を挿入する前の断面図であり、図８の（ｂ）は、新規可変錠１に従来鍵１３０を挿入した状態の断面図である。
【００５５】
新規可変錠１に従来鍵１３０が挿入されると、従来鍵１３０は新規鍵３０に比べ鍵本体部１３５の高さが小さいため、鍵挿入空間１０に従来鍵１３０本体が収納された際、上下に隙間Ｐができる。しかしながら、新規可変錠１に設けられた挿入ガイド溝９と、従来鍵１３０に設けられた挿入ガイドリブ１３７（図６の（ａ）参照）とが係合することで、従来鍵１３０は新規可変錠１の内筒１１の中央に挿入され、新規鍵３０と同様に、挿入ガイド溝９を基準に照合が行われる。したがって、上下の隙間Ｐに関係なく、鍵コードの一致の有無を機械的に照合できる。
【００５６】
次に、新規可変錠１、従来可変錠１０１に対する新規鍵３０、従来鍵１３０および共通鍵２００の挿入可否の関係について説明する。図９は、新規可変錠１、従来可変錠１０１に対する新規鍵３０、従来鍵１３０および共通鍵２００の挿入可否を説明する図である。（ａ）は、新規可変錠１と従来可変錠１０１との間で共通に使用できる共通鍵の断面図、（ｂ）は従来鍵１３０と従来可変錠１０１の断面図、（ｃ）は新規鍵３０と新規可変錠１の断面図、（ｄ）は新規可変錠１または従来可変錠１０１の正面図である。
【００５７】
ここでまず、共通鍵２００について説明する。共通鍵２００とは、当業界の関係者に広く普及している共通の鍵で、扉の開閉を制限するためのセキュリティ性の低い鍵である。共通鍵２００は、遊技機メーカが遊技機をホールに搬入する場合や、店舗間で遊技機を移動するときに使用される。全ての可変錠が新規可変錠１に置き換わるまでの間は、従来可変錠１０１の共通鍵２００（従来鍵１３０の１つ）が、新規可変錠１用の共通鍵としても利用される。
【００５８】
新規可変錠１、従来可変錠１０１に対する新規鍵３０、従来鍵１３０および共通鍵２００の挿入可否は、鍵挿入空間１０，１１０の高さａ，ａ’と鍵本体部３５，１３５の高さｂ，ｂ‘、および、口元開口部４，１０４の大きさである口元開口寸法ｃ，ｃ’と鍵本体部３５，１３５の根元部分の高さｄ，ｄ‘の寸法関係により決まる。表１に、その寸法関係を示す。
【００５９】
【表１】
2015203248.tif 000003
【００６０】
新規可変錠１は鍵挿入空間１０の高さａ’が大きいため、鍵本体部１３５の高さｂの従来鍵１３０も、鍵本体部の高さｂ’の新規鍵３０も共に挿入が可能である。これに対し、従来可変錠１０１は、鍵挿入空間１１０の高さａが新規可変錠１に比べて小さいため、鍵本体部１３５の高さｂの従来鍵１３０は挿入できるが、鍵本体部３５の高さｂ’が鍵挿入空間１１０高さａよりも大きい新規鍵３０は挿入できない。
【００６１】
さらに、新規可変錠１の口元開口寸法ｃ’を、従来可変錠１０１の口元開口寸法ｃよりも大きくし、新規鍵３０の鍵本体部３５の根元部分の高さｄ’を、従来可変錠１０１の口元開口寸法ｃよりも大きくしている。これにより、新規可変錠１の口元開口寸法ｃ’は大きいため、鍵本体部１３５の根元部分の高さｄの従来鍵１３０も、鍵本体部３５の根元部分の高さがｄ’の新規鍵３０も共に回転が可能だが、新規鍵３０の鍵本体部３５の根元部分の高さｄ’は、従来可変錠１０１の口元開口寸法ｃよりも大きいため、従来可変錠１０１にたとえ挿入されたとしても、根元部分が当たってしまい回すことができない。
【００６２】
図１０は従来可変錠１０１に新規鍵３０を挿入した場合の干渉を説明する図である。実際には挿入できないが、従来可変錠１０１に新規鍵３０を挿入すると、鍵挿入空間１１０の高さに対し鍵本体部３５の高さが大きいため干渉し挿入できない。さらに、外筒１０３に形成された口元開口部１０４の口元開口寸法も小さいため、鍵本体部３５の根元部分も干渉し、万一磨耗したことで、新規鍵３０が従来可変錠１０１に挿入できたとしても、新規鍵３０の回転を規制する。拡大図において、干渉部分をクロスハッチで示している。
【００６３】
図１１は、従来可変錠１０１から新規可変錠１へと切り替わる時期の可変錠の設定フローである。新規可変錠１は、従来鍵１３０と新規鍵３０の両方で設定が可能だが、従来可変錠１０１は、従来鍵１３０でのみ設定できる。
【００６４】
遊技機に取り付けられている可変錠が新規可変錠１でない場合（Ｓ１でＮＯ）は、従来鍵１３０で鍵コードが設定されて操作される。一方、新規可変錠１である場合（Ｓ１でＹＥＳ）は、従来鍵１３０あるいは新規鍵３０の何れかを用いて鍵コードが設定され、操作される。
【００６５】
前述したように、遊技機が新規に搬入された場合や、他の店舗より移動してきた場合、可変錠の新旧に関わらず、共通鍵２００（図９の（ａ）参照）を用いて鍵コードが共通コードに設定されている。そのため、共通コードが設定されている場合（Ｓ２、Ｓ６でＹＥＳ）は、一旦、可変錠を共通鍵２００でリセットする（Ｓ３、Ｓ７）。
【００６６】
従来可変錠１０１の場合は、共通鍵２００でリセットした後、従来鍵１３０のホール固有鍵で鍵コードを設定する（Ｓ８）。一方、新規可変錠１の場合は、共通鍵２００でリセットした後、新規鍵３０をホール固有の鍵として使用する場合（Ｓ４でＹＥＳ）は、新規鍵３０で鍵コードを設定する（Ｓ５）。これに対し、従前からのホール固有鍵である従来鍵１３０を用いる場合（Ｓ４でＮＯ）は、従来鍵１３０のホール固有鍵で鍵コードを設定する（Ｓ１１）。
【００６７】
なお、共通コードが設定されていない場合は、既に鍵コードが設定されているので、鍵コードが設定されたホール固有の鍵で操作する（Ｓ９、Ｓ１０）。従来可変錠１０１の場合、既に設定された鍵とは従来鍵１３０のみとなり、新規可変錠１の場合は、従来鍵１３０か新規鍵３０の何れかとなる。
【００６８】
図１２は、鍵コードを増やす構成と可変錠の外形との関係を説明する図である。（ａ）は従来可変錠１０１、（ｂ）は新規可変錠１、（ｃ）は外筒の径を大きくすることでタンブラーの変位する高さ位置を増やして鍵コードを増加させた可変錠２０１、（ｄ）は外筒を長くしてタンブラーの枚数を増やして鍵コードを増加させた可変錠３０１である。
【００６９】
新規可変錠１と従来可変錠１０１とでは、外筒３，１０３の長さＡ１，Ａ０、外筒３，１０３の外径φＢ１，φＢ０が等しく、外寸を共通としている。そのため、従来可変錠１０１との間で取り付けの互換性も有する。
【００７０】
一方、（ｃ）に示すように、外筒２０３の長さＡ２を外筒１０３の長さＡ０と等しくても、外筒２０３の外径φＢ２を外筒１０３のφＢ０よりも大きくしてタンブラーの変位する高さ位置を増やして鍵コードを増加させた可変錠２０１は、従来可変錠１０１との間で取り付けの互換性を有することができない。但し、遊技機に開ける穴を一回り大きくする変更は比較的容易であるため、可変錠２０１も本願発明の範疇とする。
【００７１】
これに対し、（ｄ）に示すように、外筒３０３の外径φＢ３と外筒１０３のφＢ０は等しくても、外筒３０３の長さＡ３を外筒１０３の長さＡ０よりも長くしてタンブラーの枚数を増やして鍵コードを増加させた可変錠３０１は、遊技機の扉の厚み自体を変更させる必要がある。そのため、可変錠２０２は本願発明の範疇外とする。
【００７２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００７３】
本発明は、パチンコ台やパチスロ台等の遊技機用可変錠として利用することができる。
【符号の説明】
【００７４】
１  新規可変錠（遊技機用可変錠）
３  外筒
４  口元開口部
５  鍵挿入口
７  後部フランジ
９  挿入ガイド溝（挿入ガイド）
１０  鍵挿入空間
１１  内筒
１９  タンブラー
２１  当接部
３０  新規鍵
３５  鍵本体部
３７  挿入ガイドリブ
３９  コード溝
１０１  従来可変錠（置換対象の遊技機用可変錠）
１０３  外筒
１０４  口元開口部
１１０  鍵挿入空間
１１９  タンブラー
１２１  当接部
１３５  鍵本体部
１３７  挿入ガイドリブ
１３９  コード溝
２００  共通鍵
【図１】
2015203248.tif 000004
【図２】
2015203248.tif 000005
【図３】
2015203248.tif 000006
【図４】
2015203248.tif 000007
【図５】
2015203248.tif 000008
【図６】
2015203248.tif 000009
【図７】
2015203248.tif 000010
【図８】
2015203248.tif 000011
【図９】
2015203248.tif 000012
【図１０】
2015203248.tif 000013
【図１１】
2015203248.tif 000014
【図１２】
2015203248.tif 000015